(57)【特許請求の範囲】
【請求項１】
空調対象空間に対して調和空気を送出する空気調和機の室内機であって、
前記空調対象空間を含む設定範囲を走査して前記空調対象空間内の温度を検出するセンサと、
吸い込み空気温度を検出する温度センサと、
前記設定範囲とは異なる設定校正範囲に設けられた温度校正部材と、
前記センサの駆動を制御し、前記センサの検出結果に基づいて送出する前記調和空気の気流を制御する制御装置と
を備え、
前記制御装置は、
前記温度校正部材の温度を検出するように、前記設定校正範囲に向けて前記センサを駆動し、
前記センサによって検出された前記温度校正部材の温度に基づき、前記センサの温度校正を行うものであり、
前記温度校正の際に、基準となる参照値を決定する参照値決定部と、
前記センサで検出された前記温度校正部材の温度と前記参照値とに基づき、前記センサで検出される温度を補正する出力補正係数を決定する補正係数決定部と、
前記出力補正係数を用いて、前記センサで検出される温度を補正する温度補正部と
を有し、
前記温度センサによって検出された前記吸い込み空気温度を前記参照値とする
空気調和機の室内機。
【請求項２】
前記制御装置は、
前記温度校正の際に、前記温度校正部材の温度を検出するように、前記センサを前記設定校正範囲に向けて左右に回動させる
請求項１に記載の空気調和機の室内機。
【請求項３】
前記温度校正部材は、
前記室内機の内部に設けられ、
前記制御装置は、
前記センサが使用されない場合に、前記センサを上下に駆動して前記室内機の内部に収納し、
前記温度校正の際に、前記センサが前記室内機の内部に収納された状態で、前記温度校正部材の温度を検出するように、前記センサを前記設定校正範囲に向けて駆動する
請求項１に記載の空気調和機の室内機。
【請求項４】
前記温度校正部材は、
前記センサの周囲の一部を囲むように設けられる
請求項１〜３のいずれか一項に記載の空気調和機の室内機。
【請求項５】
前記温度校正部材は、
前記センサの光軸に対して垂直に設けられる
請求項１〜３のいずれか一項に記載の空気調和機の室内機。
【請求項６】
前記温度校正部材は、
前記室内機の外郭を形成する筐体と一体に構成される
請求項１〜５のいずれか一項に記載の空気調和機の室内機。
【請求項７】
前記制御装置は、
前記センサの通電時間に基づき、前記温度校正を行うか否かを判断する温度校正判断部を有する
請求項１〜６のいずれか一項に記載の空気調和機の室内機。
【請求項８】
前記センサは、
物体の表面から放射された赤外線を検出する赤外線センサである
請求項１〜７のいずれか一項に記載の空気調和機の室内機。
【発明の詳細な説明】
【技術分野】
【０００１】
本発明は、室内の空気調和を行う空気調和機の室内機に関するものである。
【背景技術】
【０００２】
従来、非接触で温度を測定するセンサを用いて室内に存在する人体を検出する空気調和機の室内機が提案され、実用化されている。人体を検出するためのセンサとして、例えば赤外線センサ等の温度センサが用いられる。このような室内機では、室内および室内の人体の温度を検出することを目的としている。そのため、室内機は、予め設定された前方の設定範囲における温度を検出するように動作する（例えば、特許文献１参照）。
【先行技術文献】
【特許文献】
【０００３】
【特許文献１】特開２０１２−４２１８３号公報
【発明の概要】
【発明が解決しようとする課題】
【０００４】
ところで、空気調和機では、室内の温度環境を調節するために、吹出口から室温よりも暖かい空気または冷たい空気が吹き出される。これにより、温度センサの周囲の温度環境が急激に変化し、サーモパイル式のセンサ等の非接触式の温度センサの出力値は、実際の室内温度値（以下、「真値」と称する）から乖離する場合がある。また、温度センサは、自己発熱による温度ドリフトにより、出力値が真値から乖離する場合もある。これらの場合、温度センサは、対象物の温度を測定しても、正しい値を得ることができない。【０００５】
例えば、温度センサが真値よりも低い値を検出値として出力する場合、空気調和機は、実際には人体が存在するにもかかわらず、人体が存在しないと誤検出する。温度センサが真値よりも高い値を検出値として出力する場合、空気調和機は、実際には人体が存在しない場所に人体が存在すると誤検出する。すなわち、空間内の温度を誤検出した場合、空気調和機は、人体の存在を検出するという本来の機能を果たすことができず、人体に向けて気流を当てるなどの人体検出に付随した各種制御を行うことができない。【０００６】
また、温度センサによる出力値が真値から乖離した場合、空気調和機は、室内の温度状態を正確に把握することができない。そのため、空気調和機は、室内の温度に応じた最適な空調制御を行うことができない。【０００７】
本発明は、上記従来の課題に鑑みてなされたものであって、室内温度の検出精度を向上させることができる空気調和機の室内機を提供することを目的とする。
【課題を解決するための手段】
【０００８】
本発明の空気調和機の室内機は、空調対象空間に対して調和空気を送出する空気調和機の室内機であって、前記空調対象空間を含む設定範囲を走査して前記空調対象空間内の温度を検出するセンサと、吸い込み空気温度を検出する温度センサと、前記設定範囲とは異なる設定校正範囲に設けられた温度校正部材と、前記センサの駆動を制御し、前記センサの検出結果に基づいて送出する前記調和空気の気流を制御する制御装置とを備え、前記制御装置は、前記温度校正部材の温度を検出するように、前記設定校正範囲に向けて前記センサを駆動し、前記センサによって検出された前記温度校正部材の温度に基づき、前記センサの温度校正を行うものであり、前記温度校正の際に、基準となる参照値を決定する参照値決定部と、前記センサで検出された前記温度校正部材の温度と前記参照値とに基づき、前記センサで検出される温度を補正する出力補正係数を決定する補正係数決定部と、前記出力補正係数を用いて、前記センサで検出される温度を補正する温度補正部とを有し、前記温度センサによって検出された前記吸い込み空気温度を前記参照値とするものである。
【発明の効果】
【０００９】
以上のように、本発明の空気調和機の室内機によれば、空調対象空間を含む設定範囲とは異なる設定校正範囲に設けられた温度校正部材の温度を検出し、検出結果に基づいてセンサの温度校正を行うことにより、室内温度の検出精度を向上させることができる。
【図面の簡単な説明】
【００１０】
【図１】実施の形態１に係る室内機の外観の一例を示す斜視図である。
【図２】図１の赤外線センサの構成の一例を示す概略図である。
【図３】赤外線センサと温度校正部材との位置関係の第１の例を示す概略図である。
【図４】赤外線センサと温度校正部材との位置関係の第２の例を示す概略図である。
【図５】赤外線センサと温度校正部材との位置関係の第３の例を示す概略図である。
【図６】赤外線センサと温度校正部材との位置関係の第４の例を示す概略図である。
【図７】赤外線センサと温度校正部材との位置関係の他の例を示す概略図である。
【図８】実施の形態１に係る室内機を用いた空気調和機の回路構成の一例を示す概略図である。
【図９】図８に示す室内制御装置の構成の一例を示すブロック図である。
【図１０】図３に示す演算処理装置の構成の一例を示す機能ブロック図である。
【図１１】図８に示す室外制御装置の構成の一例を示すブロック図である。
【図１２】実施の形態１に係る空気調和機による空調処理の流れの一例を示すフローチャートである。
【図１３】赤外線センサの出力値と得られる温度との関係について説明するための概略図である。
【図１４】実施の形態１に係る室内機における温度校正処理の流れの一例を示すフローチャートである。
【図１５】図１４における温度校正の要否判断の一例を示すフローチャートである。
【発明を実施するための形態】
【００１１】
実施の形態１．
以下、本発明の実施の形態１に係る空気調和機の室内機について説明する。本実施の形態１に係る空気調和機の室内機は、空調対象空間である室内の温度情報を取得し、取得した温度情報に基づいて空調を行う。
【００１２】
［室内機１０の外観例］
図１は、本実施の形態１に係る室内機１０の外観の一例を示す斜視図である。室内機１０は、例えば、室内の壁面に設置される壁掛けタイプの室内機である。図１に示すように、室内機１０には、外郭を形成する筐体に、吸込口１および吹出口２が設けられている。吸込口１は、室内機１０の周囲の空気を内部に吸い込むために設けられている。吹出口２は、室内機１０の内部に吸い込んだ空気を調和空気として外部に吹き出すために設けられている。室内機１０の内部には、吸込口１から吹出口２へ通じる吹出風路が形成されている。
【００１３】
吹出口２には、上下風向板３が設けられている。また、室内機１０内の吹出風路上の吹出口２の近傍には、左右風向板４が設けられている。上下風向板３は、調和空気を吹き出す際の鉛直方向の送出方向を調整するため、回動自在に設けられている。左右風向板４は、調和空気を送出する際の水平方向の送出方向を調整するため、回動自在に設けられている。
【００１４】
また、室内機１０には、赤外線センサ５が設けられている。赤外線センサ５は、室内の温度を走査し、物体の表面から放射される赤外線を検出して温度情報を取得する。図１に示す例において、赤外線センサ５は、室内機１０側から見た際に左側の下部に設けられている。
【００１５】
なお、赤外線センサ５の設置位置は、図１に示す位置に限られない。例えば、赤外線センサ５が室内の温度情報を取得できる位置に設置されていればよい。また、赤外線センサ５の形状についても、図１に示すような形状に限られず、室内の温度情報が取得できれば、どのような形状でもよい。
【００１６】
［赤外線センサ５の構成］
図２は、図１の赤外線センサ５の構成の一例を示す概略図である。図２に示すように、赤外線センサ５には、ステッピングモータ等の駆動装置６が取り付けられている。
【００１７】
赤外線センサ５は、例えばサーモパイルセンサであり、対象物の赤外線量を検出して温度情報に変換する。赤外線センサ５は、駆動装置６が駆動することによって回動し、予め設定された設定範囲を走査する。これにより、赤外線センサ５は、当該設定範囲内の赤外線量に基づく温度を検出し、温度情報として出力する。なお、この例では、赤外線センサ５と駆動装置６とが別体で構成されているが、これに限られず、一体的に構成されてもよい。
【００１８】
本実施の形態１において、赤外線センサ５の近傍には、赤外線センサ５の温度校正を行う際に用いられる温度校正部材７が設けられている。温度校正部材７は、通常の温度検出の際の設定範囲には含まれない範囲内に設けられている。
【００１９】
図３は、赤外線センサ５と温度校正部材７との位置関係の第１の例を示す概略図である。図３に示すように、温度校正部材７は、赤外線センサ５が室内全体を走査するための設定範囲とは異なる範囲である設定校正範囲に設けられている。温度校正が行われる場合、赤外線センサ５は、温度校正部材７が設けられた設定校正範囲に向けて回動する。これにより、赤外線センサ５は、温度校正部材７の温度のみを検出することができる。
【００２０】
なお、図３の例において、温度校正部材７は、赤外線センサ５の光軸に対して垂直に設けるとよい。これは、その他の部材等からの赤外線を反射しないようにして、校正の精度を高めるためである。
【００２１】
図４は、赤外線センサ５と温度校正部材７との位置関係の第２の例を示す概略図である。図４は、空調対象空間を天井側から見た際の赤外線センサ５の設定範囲を示す。図４に示すように、赤外線センサ５が左右に回動する場合、赤外線センサ５および室内機１０の筐体のそれぞれに位置決め用部材を設け、それぞれの位置決め用部材が接する際の赤外線センサ５の視野内に温度校正部材７が設けられてもよい。この場合、温度校正部材７は、赤外線センサ５の設定範囲以外の領域に設けられる。
【００２２】
図５は、赤外線センサ５と温度校正部材７との位置関係の第３の例を示す概略図である。図５に示すように、赤外線センサ５が左右に回動する場合、温度校正部材７は、設定範囲とは異なる範囲である赤外線センサ５の周囲の一部を囲むように設けられてもよい。
【００２３】
図６は、赤外線センサ５と温度校正部材７との位置関係の第４の例を示す概略図である。図６に示すように、温度校正部材７は、校正の精度を高めるために、赤外線センサ５からの距離が一定となるように球面形状としてもよい。
【００２４】
図７は、赤外線センサ５と温度校正部材７との位置関係の他の例を示す概略図である。図７に示すように、赤外線センサ５には、ラック８が接続されている。ラック８上には、駆動装置６に接続された平歯車９が設けられている。駆動装置６が駆動して平歯車９が回動することにより、ラック８が赤外線センサ５を伴って上下に移動する。一方、温度校正部材７は、赤外線センサ５と異なる高さにおける設定範囲を覆うように設けられている。
【００２５】
温度校正が行われる場合、赤外線センサ５は、駆動装置６が駆動することによって温度校正部材７が設けられている高さまで移動する。これにより、赤外線センサ５は、温度校正部材７の温度のみを検出することができる。
【００２６】
なお、図７の例において、赤外線センサ５が上下に駆動して、不使用時に室内機１０の内部に収納される場合には、例えば、赤外線センサ５が室内機１０内に収納された状態で、温度校正が行われるようにしてもよい。この場合、温度校正部材７は、室内機１０内に配置される。
【００２７】
このように、本実施の形態１では、室内の温度を検出するための設定範囲とは異なる設定校正範囲が設定され、当該設定校正範囲内に温度校正部材７が配置される。そして、温度校正が行われる場合には、赤外線センサ５が設定校正範囲に向かうように駆動する。これにより、赤外線センサ５は、温度校正の際に温度校正部材７の温度のみを検出する。
【００２８】
なお、温度校正部材７は、例えば室内機１０の筐体の一部として形成されてもよい。また、温度校正部材７は、校正の精度を高めるために、赤外線反射率の低い材料を用いたり、赤外線透過率の低い材料を用いたりして形成されてもよい。
【００２９】
［空気調和機１００の回路構成］
図８は、本実施の形態１に係る室内機１０を用いた空気調和機１００の回路構成の一例を示す概略図である。図８に示すように、空気調和機１００は、室内機１０および室外機２０で構成されている。空気調和機１００では、室内機１０および室外機２０が冷媒配管によって接続され、冷媒配管内を冷媒が流れることにより、冷凍サイクルが形成される。
【００３０】
なお、図８の例では、１台の室内機１０と１台の室外機２０とが接続される場合を示すが、室内機１０および室外機２０の台数は、この例に限られない。例えば、１台の室外機２０に対して複数台の室内機１０が接続されてもよい。また、例えば、複数の室外機２０に対して１または複数の室内機１０が接続されてもよい。
【００３１】
（室内機）
室内機１０は、膨張弁１１、室内熱交換器１２、室内送風機１３および室内制御装置３０で構成され、それぞれが室内機１０の筐体に収容されている。膨張弁１１は、冷媒を膨張させる。膨張弁１１は、例えば、電子式膨張弁などの開度の制御が可能な弁で構成されている。膨張弁１１の開度は、室内制御装置３０によって制御される。
【００３２】
室内熱交換器１２は、室内空気と冷媒との間で熱交換を行う。これにより、室内空間に供給される調和空気である暖房用空気または冷房用空気が生成される。室内熱交換器１２は、冷房運転の際に、冷媒を蒸発させた際の気化熱により室内空気を冷却する蒸発器として機能し、空調対称空間の空気を冷却して冷房を行う。また、室内熱交換器１２は、暖房運転の際に、冷媒の熱を室内空気に放熱して冷媒を凝縮させる凝縮器として機能し、空調対称空間の空気を加熱して暖房を行う。
【００３３】
室内送風機１３は、吸込口１から吹出口２に至る気流を生成し、室内熱交換器１２に対して室内空気を供給する。室内送風機１３の回転数は、室内制御装置３０によって制御される。回転数が制御されることにより、室内熱交換器１２に対する送風量が調整される。
【００３４】
室内制御装置３０は、室内制御装置３０は、例えば、図示しないリモートコントローラに対する使用者の操作による設定、ならびに、赤外線センサ５からの温度情報などに基づき、この室内機１０全体の動作を制御する。特に、本実施の形態１において、室内制御装置３０は、赤外線センサ５によって温度情報が取得される際の、赤外線センサ５の駆動を制御する。
【００３５】
図９は、図８に示す室内制御装置３０の構成の一例を示すブロック図である。図９に示すように、室内制御装置３０は、入力回路３１、演算処理装置３２、記憶装置３３、および出力回路３４で構成されている。
【００３６】
入力回路３１は、リモートコントローラ等からの設定情報、赤外線センサ５からの温度情報、および室外制御装置４０からの制御情報などが入力される。入力回路３１は、入力された各種情報を演算処理装置３２に対して出力する。
【００３７】
演算処理装置３２は、例えばＣＰＵ（Ｃｅｎｔｒａｌ  Ｐｒｏｃｅｓｓｉｎｇ  Ｕｎｉｔ）等のマイクロコンピュータであり、記憶装置３３に記憶されたソフトウェアを実行することにより、各種機能を実現する。なお、演算処理装置３２は、これに限られず、例えば、各種機能を実現する回路デバイスなどのハードウェア等で構成されてもよい。
【００３８】
演算処理装置３２は、記憶装置３３に記憶されたデータを用いて、入力回路３１から受け取った情報に基づき各種処理を行う。例えば、演算処理装置３２は、赤外線センサ５からの温度情報に基づき、室内の温度状態を示す熱画像を作成する処理、作成した熱画像に基づいて室内に存在する人体の位置を検出する処理などを行う。このような演算処理装置３２による処理の詳細については、後述する。
【００３９】
演算処理装置３２は、検出された人体の位置に応じて調和空気を送出するように、室内機１０に設けられた動作装置に対する制御情報、および室外機２０に対する制御情報などを生成して出力回路３４に出力する。このとき生成される制御情報としては、例えば、風向を制御するための情報、室内送風機１３の風量を制御するための情報、および膨張弁１１の開度を制御するための情報等である。
【００４０】
記憶装置３３は、演算処理装置３２で行われる処理に必要なプログラムおよび各種データを記憶する。また、記憶装置３３は、演算処理装置３２における各種処理によって得られたデータを記憶する。
【００４１】
例えば、記憶装置３３は、室内に人体が存在しない場合の熱画像を記憶する。この熱画像は、演算処理装置３２によって室内の人体の位置を検出する際に用いられる基準となる熱画像（以下、「基準熱画像」と適宜称する）である。基準熱画像は、例えば、室内に人体が存在しないと判断できる場合の温度情報に基づき、演算処理装置３２によって予め作成される。
【００４２】
また、記憶装置３３は、赤外線センサ５の温度校正を行う際に用いられる出力補正係数および補正式を記憶する。出力補正係数および補正式の詳細については、後述する。
【００４３】
出力回路３４は、演算処理装置３２から各種の制御情報を受け取り、対応する室内機１０に設けられた動作装置または室外機２０に対して出力する。例えば、風向を制御するための制御情報を受け取った場合、出力回路３４は、上下風向板３および左右風向板４を駆動するための図示しない駆動装置に対してこの制御情報を出力する。
【００４４】
また、例えば、風量を制御するための制御情報を受け取った場合、出力回路３４は、室内送風機１３を駆動するための図示しない駆動装置に対してこの制御情報を出力する。さらに、例えば、室外機２０に対する制御情報を受け取った場合、出力回路３４は、室外機２０の室外制御装置４０に対してこの制御情報を出力する。さらにまた、出力回路３４は、赤外線センサ５の温度校正を行う場合に、赤外線センサ５または温度校正部材７に対する制御情報を出力する。
【００４５】
図１０は、図３に示す演算処理装置３２の構成の一例を示す機能ブロック図である。図１０に示すように、演算処理装置３２は、温度情報取得部５１、温度補正部５２、熱画像作成部５３、室内検出部５４、体感温度算出部５５、機器制御部５６、温度校正判断部５７、参照値決定部５８、補正係数決定部５９およびタイマ６０で構成されている。なお、図１０では、本発明の特徴に関連する部分についての機能ブロックのみを図示し、それ以外の部分については、図示および説明を省略する。
【００４６】
温度情報取得部５１は、赤外線センサ５で検出された温度情報を、入力回路３１を介して取得する。温度補正部５２は、温度情報取得部５１で取得された温度情報を、記憶装置３３に記憶された出力補正係数および補正式を用いて補正する。出力補正係数は、赤外線センサ５の温度校正を行った場合に、温度情報を補正するためのものであり、温度補正部５２は、当該出力補正係数を適用した補正式を用いることにより、取得した温度情報を補正する。
【００４７】
熱画像作成部５３は、温度情報取得部５１で取得された温度情報に基づき、室内の温度分布を示す熱画像を作成する。熱画像は、例えば、赤外線センサ５が室内を走査して得られる温度値を、走査した際の座標位置に並べることにより作成される。
【００４８】
室内検出部５４は、熱画像作成部５３で作成された熱画像に基づき、壁等の室内を形成する構造体の温度を検出する。また、熱画像作成部５３は、室内における人体の有無および人体の位置を検出する。人体は、例えば、作成された熱画像と、記憶装置３３に予め記憶された基準熱画像とを比較し、温度が変化した部分を抽出することによって検出される。また、室内における人体の位置は、人体として抽出された画像である人体画像の画素の座標に基づき検出される。
【００４９】
体感温度算出部５５は、室内検出部５４で検出された、室内に存在する人体の位置での体感温度を算出する。このとき、体感温度算出部５５は、輻射による影響を含む体感温度を算出する。
【００５０】
機器制御部５６は、体感温度算出部５５で算出された体感温度に基づき、室内機１０および室外機２０内の各機器を制御する。室内機１０内の各機器に対する制御信号は、出力回路３４を介して各機器に供給される。また、室外機２０内の各機器に対する制御信号は、出力回路３４を介して室外機２０に供給される。
【００５１】
温度校正判断部５７は、予め設定された方法により、赤外線センサ５に対する温度校正の要否を判断する。温度校正の要否は、例えば、赤外線センサ５に対する通電時間の長さによって判断される。
【００５２】
参照値決定部５８は、温度校正判断部５７によって温度校正が必要であると判断された場合に、参照値を決定する。参照値は、温度校正を行う際に基準となるものであり、例えば、温度校正部材７に温度センサを取り付けた場合に、当該温度センサで検出された温度を適用することができる。また、これに限られず、参照値は、例えば、赤外線センサ５とは異なる非接触温度センサを設け、当該非接触温度センサで検出された温度を適用することができる。
【００５３】
さらに、例えば、室内の空気温度が安定している場合に、参照値は、室内機１０の吸い込み空気温度を検出する温度センサで検出された温度を適用してもよい。さらにまた、赤外線センサ５が複数箇所の温度を検出するセンサである場合には、参照値は、検出温度の相対的な差が解消されるように、複数の出力値のうちの１つ、あるいは複数の出力値の平均値など、赤外線センサ５の出力値に基づいた値を適用してもよい。
【００５４】
補正係数決定部５９は、温度情報取得部５１で取得された温度情報と、参照値決定部５８で決定された参照値とに基づき、赤外線センサ５の出力を補正するための出力補正係数を決定する。タイマ６０は、本実施の形態１による各種処理を行う際に必要な計時を行う。特に、温度校正の要否判断が赤外線センサ５に対する通電時間の長さによって判断される場合、タイマ６０は、温度校正判断部５７の制御に基づき、赤外線センサ５に対する通電時間を計時する。
【００５５】
（室外機）
図８の室外機２０は、圧縮機２１、冷媒流路切替装置２２、室外熱交換器２３、室外送風機２４、および室外制御装置４０で構成されている。圧縮機２１は、低温低圧の冷媒を吸入し、吸入した冷媒を圧縮し、高温高圧の冷媒を吐出する。圧縮機２１として、例えば、運転周波数を任意に変化させることにより、単位時間あたりの冷媒送出量である容量が制御されるインバータ圧縮機等が用いられる。圧縮機２１の運転周波数は、室外制御装置４０によって制御される。
【００５６】
冷媒流路切替装置２２は、例えば四方弁であり、冷媒の流れる方向を切り替えることにより、冷房運転および暖房運転の切り替えを行う。冷媒流路切替装置２２は、冷房運転時に、図８の実線で示す状態に切り替わる。また、冷媒流路切替装置２２は、暖房運転時に、図８の点線で示す状態に切り替わる。冷媒流路切替装置２２における流路の切替は、室外制御装置４０によって制御される。なお、冷媒流路切替装置２２としては、上述した四方弁に限らず、例えば他の弁を組み合わせて使用してもよい。
【００５７】
室外熱交換器２３は、室外空気と冷媒との間で熱交換を行う。具体的には、室外熱交換器２３は、冷房運転の際に凝縮器として機能する。また、室外熱交換器２３は、暖房運転の際に蒸発器として機能する。室外送風機２４は、室外熱交換器２３に対して室外空気を供給する。室外送風機２４の回転数は、室外制御装置４０によって制御される。回転数が制御されることにより、室外熱交換器２３に対する送風量が調整される。
【００５８】
室外制御装置４０は、室外機２０の各部から受け取る各種情報に基づき、この室外機２０全体の動作を制御する。具体的には、室外制御装置４０は、室内制御装置３０からの制御情報、ならびに、冷凍サイクル中に設けられた図示しない各種センサからの情報に基づき、圧縮機２１の運転周波数、冷媒流路切替装置２２の流路の切替、および室外送風機２４の回転数を制御する。
【００５９】
図１１は、図８に示す室外制御装置４０の構成の一例を示すブロック図である。図１１に示すように、室外制御装置４０は、入力回路４１、演算処理装置４２、記憶装置４３、および出力回路４４で構成されている。
【００６０】
入力回路４１は、室内制御装置３０からの制御情報、および空気調和機１００内に設けられた図示しない各種センサによって取得した情報などが入力される。入力回路４１は、入力された各種情報を演算処理装置４２に対して出力する。
【００６１】
演算処理装置４２は、例えばＣＰＵ等のマイクロコンピュータであり、記憶装置４３に記憶されたソフトウェアを実行することにより、各種機能を実現する。
なお、演算処理装置４２は、これに限られず、例えば、各種機能を実現する回路デバイスなどのハードウェア等で構成されてもよい。
【００６２】
演算処理装置４２は、記憶装置４３に記憶されたデータを用いて、入力回路４１から受け取った情報に基づき各種処理を行う。演算処理装置４２は、室外機２０に設けられた各種動作を行うための制御情報、および室内機１０に対する制御情報などを生成し、出力回路４４に対して出力する。このとき生成される制御情報としては、例えば、室内制御装置３０で算出された室温および体感温度と、室内機１０の設定温度とに基づき圧縮機２１の運転周波数を制御するための情報である。また、それ以外の制御情報としては、例えば、室外送風機２４の風量を制御するための情報、および冷媒流路切替装置２２を制御するための情報等である。
【００６３】
記憶装置４３は、演算処理装置４２で行われる処理に必要なプログラムおよび各種データを記憶する。また、記憶装置４３は、演算処理装置４２における各種処理によって得られたデータを記憶する。
【００６４】
出力回路４４は、演算処理装置４２から各種の制御情報を受け取り、対応する室外機２０に設けられた動作装置または室内機１０に対して出力する。例えば、圧縮機２１の運転周波数を制御するための制御情報を受け取った場合、出力回路４４は、圧縮機２１に対してこの制御情報を出力する。また、例えば、風量を制御するための制御情報を受け取った場合、出力回路４４は、室外送風機２４を駆動するための図示しない駆動装置に対してこの制御情報を出力する。さらに、例えば、室内機１０に対する制御情報を受け取った場合、出力回路３４は、室内機１０の室内制御装置３０に対してこの制御情報を出力する。
【００６５】
［空気調和機の動作］
次に、上記構成を有する空気調和機１００における冷房運転モードおよび暖房運転モードでの冷媒の動作について説明する。なお、図８に示す例において、冷媒流路切替装置２２の実線で示す状態が冷房運転モードでの状態であり、冷媒の流れ方向を実線で示す。また、冷媒流路切替装置２２の点線で示す状態が暖房運転モードでの状態であり、冷媒の流れ方向を破線で示す。
【００６６】
（冷房運転モード）
まず、冷房運転モードでの冷媒の動作について説明する。冷房運転モードでは、冷媒流路切替装置２２が図８の実線で示す状態に切り替えられ、圧縮機２１の吐出側と室外熱交換器２３が接続されるとともに、圧縮機２１の吸入側と室内熱交換器１２とが接続される。そして、低温低圧の冷媒が圧縮機２１によって圧縮され、高温高圧のガス冷媒となって吐出される。
【００６７】
圧縮機２１から吐出された高温高圧のガス冷媒は、冷媒流路切替装置２２を介して室外熱交換器２３に流入する。室外熱交換器２３に流入した高温高圧のガス冷媒は、室外空気と熱交換して放熱しながら凝縮し、過冷却状態の高圧の液冷媒となって室外熱交換器２３から流出する。
【００６８】
室外熱交換器２３から流出した高圧の液冷媒は、膨張弁１１によって減圧されて低温低圧の気液二相冷媒となり、室内熱交換器１２に流入する。室内熱交換器１２に流入した低温低圧の気液二相冷媒は、室内空気と熱交換して吸熱および蒸発することにより室内空気を冷却し、低温低圧のガス冷媒となって室内熱交換器１２から流出する。
【００６９】
室内熱交換器１２から流出した低温低圧のガス冷媒は、冷媒流路切替装置２２を通過して、圧縮機２１へ吸入される。
【００７０】
（暖房運転モード）
次に、暖房運転モードでの冷媒の動作について説明する。暖房運転モードでは、冷媒流路切替装置２２が図３の点線で示す状態に切り替えられ、圧縮機２１の吐出側と室内熱交換器１２とが接続されるとともに、圧縮機２１の吸入側と室外熱交換器２３とが接続される。そして、低温低圧の冷媒が圧縮機２１によって圧縮され、高温高圧のガス冷媒となって吐出される。
【００７１】
圧縮機２１から吐出された高温高圧のガス冷媒は、冷媒流路切替装置２２を介して室内熱交換器１２に流入する。室内熱交換器１２に流入した高温高圧のガス冷媒は、室内空気と熱交換して放熱しながら凝縮し、過冷却状態の高圧の液冷媒となって室内熱交換器１２から流出する。
【００７２】
室内熱交換器１２から流出した高圧の液冷媒は、膨張弁１１によって減圧されて低温低圧の気液二相冷媒となり、室外熱交換器２３に流入する。室外熱交換器２３に流入した低温低圧の気液二相冷媒は、室外空気と熱交換して吸熱および蒸発し、低温低圧のガス冷媒となって室外熱交換器２３から流出する。
【００７３】
室外熱交換器２３から流出した低温低圧のガス冷媒は、冷媒流路切替装置２２を通過して、圧縮機２１へ吸入される。
【００７４】
［空調処理］
本実施の形態１に係る空気調和機１００による空調処理について説明する。空気調和機１００は、室内における人体の有無と、人体が存在する場合にその人体の位置を検出し、検出された人体の位置に応じた空調を行う。
【００７５】
図１２は、本実施の形態１に係る空気調和機１００による空調処理の流れの一例を示すフローチャートである。図１２に示す処理は、予め設定された時間毎に行われる。
【００７６】
ステップＳ１において、温度情報取得部５１は、赤外線センサ５によって検出された設定範囲内の温度情報を入力回路３１から取得する。そして、熱画像作成部５３は、温度情報取得部５１で取得した温度情報に基づき、室内の温度分布を示す熱画像を作成する。なお、赤外線センサ５で取得される温度情報が温度補正部５２によって補正されている場合、熱画像作成部５３は、補正された温度情報を用いて熱画像を作成する。
【００７７】
ステップＳ２において、室内検出部５４は、作成された熱画像から室内を形成する構造体の温度を検出するとともに、室内における人体の有無および存在する人体の位置を検出する。ステップＳ３において、体感温度算出部５５は、室内検出部５４で検出された人体の位置での体感温度を算出する。
【００７８】
ステップＳ４において、機器制御部５６は、算出された体感温度に基づき、室内機１０内に設けられた上下風向板３、左右風向板４、膨張弁１１および室内送風機１３等の各機器を制御するための制御信号を出力する。また、機器制御部５６は、室外機２０内に設けられた圧縮機２１、冷媒流路切替装置２２および室外送風機２４等の各機器を制御するための制御信号を出力する。これにより、室内機１０および室外機２０内の各機器は、制御信号の内容に応じて動作する。
【００７９】
このように、本実施の形態１では、赤外線センサ５で検出された室内の温度情報に基づき熱画像が作成され、作成された熱画像から室内の人体の位置での体感温度が算出される。そして、算出された体感温度に基づき、室内機１０および室外機２０内の各機器が制御されることにより、人体に対する風向および風量等が適切に制御される。
【００８０】
［温度校正処理］
温度校正処理について説明する。赤外線センサ５は、室内機１０の吹出口２から吹き出される空気、および赤外線センサ５自身の発熱などにより、検出する温度に誤差が生じる。誤差が生じたまま室内の温度が検出されると、室内の熱画像の作成および人体の検出を精度よく行うことが困難となり、空調制御を正確に行うことができない。そこで、本実施の形態１では、赤外線センサ５からの温度を取得する際に、赤外線センサ５で生じる誤差を補正するための温度校正が行われる。
【００８１】
温度を校正する際の補正方法は、赤外線センサ５の特性に応じて異なる。例えば、赤外線センサ５がサーモパイル方式の場合、赤外線センサ５は、温度測定対象物から出力される赤外線に基づく温接点と、基板上の冷接点との温度差をゼーベック効果によって電圧差として取り出す。温接点の温度は、赤外線吸収膜によって吸収した温度測定対象物からの赤外線を温度に変換することによって取得する。冷接点の温度は、赤外線センサ５の基板上に設けられた温度センサによって取得する。これにより、赤外線センサ５は温度測定対象物の温度を検出する。
【００８２】
ここで、赤外線センサ５の出力値と、出力値に基づき得られる温度との間には、式（１）に示す一次近似式で表される関係が成立する。式（１）において、変数ｘは赤外線センサ５の出力値を示し、変数ｙは温度を示す。傾きａおよび切片ｂは、それぞれ赤外線センサ５の特性によって決定される係数である。
ｙ＝ａｘ＋ｂ    ・・・（１）
【００８３】
赤外線センサ５の通電時間が長くなると、自己発熱等により、式（１）で示す一次近似式の傾きａおよび切片ｂが変化する。そのため、傾きａおよび切片ｂが変化した状態の一次近似式を用いた場合、赤外線センサ５の出力値に基づいて算出される温度は、誤差を含んだものとなる。
【００８４】
図１３は、赤外線センサ５の出力値と得られる温度との関係について説明するための概略図である。図１３において、実線で示す一次近似式Ａは、自己発熱等による誤差を含んだ近似式を示す。また、破線で示す一次近似式Ｂは、誤差を含まない本来の近似式を示す。
【００８５】
例えば、ある時点で赤外線センサ５の出力値が「ｘ１」である場合、誤差を含んだ状態で得られる温度測定対象物の温度は、一次近似式Ａに基づき「ｙ１」となる。一方、誤差を含まない本来の温度測定対象物の温度は、一次近似式Ｂに基づき「ｙ２」である。すなわち、この場合に得られる温度測定対象物の温度は、「ｙ２−ｙ１」だけの誤差を有する。
【００８６】
したがって、本実施の形態１では、赤外線センサ５の出力値「ｙ１」が出力値「ｙ２」に近づくように温度校正が行われる。具体的には、本実施の形態１では、温度校正によって一次近似式Ａが一次近似式Ｂに近づくように、式（１）における係数ａおよびｂの少なくとも一方の係数を補正するための出力補正係数が決定される。
【００８７】
図１４は、本実施の形態１に係る室内機１０における温度校正処理の流れの一例を示すフローチャートである。図１４の温度校正処理は、図１２のステップＳ１で赤外線センサ５によって温度を取得する際に行われる。
【００８８】
ステップＳ１１において、温度校正判断部５７は、予め設定された方法により、温度校正を行う必要があるか否かを判断する。
【００８９】
温度校正が必要であると判断された場合（ステップＳ１１；Ｙｅｓ）、機器制御部５６は、ステップＳ１２において、赤外線センサ５によって温度校正部材７のみの温度が検出されるように、赤外線センサ５を動かす。そして、赤外線センサ５により温度校正部材７の温度が検出される。一方、温度校正が必要ないと判断された場合（ステップＳ１１；Ｎｏ）、処理がステップＳ１５に移行する。
【００９０】
ステップＳ１３において、参照値決定部５８は、温度校正を行う際に用いられる参照値を決定する。ステップＳ１４において、補正係数決定部５９は、温度情報取得部５１で取得された温度情報と、参照値決定部５８で決定された参照値に基づき、出力補正係数を決定する。
出力補正係数は、例えば、温度情報取得部５１で取得された温度情報が参照値決定部５８で決定された参照値と同一になるように決定される。補正係数決定部５９は、決定された出力補正係数を記憶装置３３に記憶する。
【００９１】
ステップＳ１５において、温度情報取得部５１は、赤外線センサ５によって検出された設定範囲内の温度情報を入力回路３１から取得する。ステップＳ１６において、温度補正部５２は、検出された温度情報を、記憶装置３３に記憶された出力補正係数を適用した補正式を用いて補正する。
【００９２】
（温度校正の要否判断）
温度校正処理における、温度校正の要否判断について説明する。図１５は、図１４における温度校正の要否判断の一例を示すフローチャートである。図１５の例は、赤外線センサ５の通電時間の長さによって、温度校正を行うか否かを判断する場合の一例である。このように、赤外線センサ５の温度校正を行うタイミングを通電時間で判断するのは、通電が継続された場合に、赤外線センサ５が自己発熱することによって誤差が生じるためである。
【００９３】
ステップＳ２１において、温度校正判断部５７は、赤外線センサ５に対する通電が開始されたタイミングで、赤外線センサ５の通電時間の計時を開始するように、タイマ６０を制御する。これにより、タイマ６０は、赤外線センサ５の通電時間の計時を開始する。ステップＳ２２において、温度校正判断部５７は、赤外線センサ５の通電時間が設定時間以上であるか否かを判断する。
【００９４】
赤外線センサ５の通電時間が設定時間以上である場合（ステップＳ２２；Ｙｅｓ）、室内制御装置３０は、ステップＳ２３において温度校正処理を実施する。このときの温度校正処理は、図１４のステップＳ１２〜ステップＳ１４までの処理である。ステップＳ２４において、温度校正判断部５７は、温度校正処理を実施した後に、赤外線センサ５の通電時間の計時を停止してリセットするとともに、計時をリスタートする。
【００９５】
一方、ステップＳ２２において、赤外線センサ５の通電時間が設定時間未満である場合（ステップＳ２２；Ｎｏ）には、処理がステップＳ２２に戻り、赤外線センサ５の通電時間が設定時間以上となるまで、ステップＳ２２の処理が繰り返される。
【００９６】
なお、温度校正処理を行うタイミングは、赤外線センサ５の通電時間による場合に限られない。例えば、空気調和機１００の吸い込み温度の変化量に応じて、赤外線センサ５の温度校正の要否が判断されてもよい。
【００９７】
以上のように、本実施の形態１に係る空気調和機１００の室内機１０では、赤外線センサ５により、空調対象空間を含む設定範囲とは異なる設定校正範囲に設けられた温度校正部材７の温度が検出される。そして、検出された温度校正部材７の温度に基づき、赤外線センサ５の温度校正が行われる。このように、赤外線センサ５の温度校正が行われることにより、赤外線センサ５で検出される温度を実際の温度に近づけることができるため、室内温度の検出精度を向上させることができる。そして、室内温度の検出精度が向上することにより、室内に存在する人体の検出精度が向上するため、意図したとおりの空調を行うことができ、快適な空気調和環境を作ることができる。
【００９８】
また、室内機１０において、赤外線センサ５は、温度校正の際に温度校正部材７の温度を検出するために、設定校正範囲に向けて左右に回動または上下に駆動する。これにより、赤外線センサ５は、設定校正範囲内の温度校正部材７の温度のみを検出することができる。そのため、温度校正を正確に行うことができる。
【００９９】
さらに、室内機１０において、温度校正部材７は、室内機１０の筐体と一体に構成される。これにより、温度校正部材７を別途作製する必要がないため、室内機１０を安価に製造することができる。
【０１００】
実施の形態２．
次に、本発明の実施の形態２に係る空気調和機の室内機について説明する。本実施の形態２において、室内機１０の室内制御装置３０は、温度校正を行う際に、赤外線センサ５を固定し、温度校正部材７を駆動する。すなわち、本実施の形態２では、温度校正を行う際に温度校正部材７が移動し、赤外線センサ５の設定範囲全体が覆われるようにする。
【０１０１】
これにより、室内制御装置３０は、温度校正部材７を移動させるだけで温度校正を行うことができる。そのため、温度校正を行うタイミングの自由度があがり、赤外線センサ５によって正確な温度を検出する機会を増やすことができる。
【０１０２】
以上、本発明の実施の形態１および２について説明したが、本発明は、上述した本発明の実施の形態１および２に限定されるものではなく、本発明の要旨を逸脱しない範囲内で様々な変形や応用が可能である。例えば、本実施の形態１および２では、赤外線センサ５としてサーモパイル方式のものを例にとって説明したが、これはこの例に限られない。例えば、赤外線センサ５は、ボロメータ方式およびＳＯＩ方式など、室内の温度検出および温度校正ができるものであれば、どのようなセンサを用いてもよい。
【符号の説明】
【０１０３】
１  吸込口、２  吹出口、３  上下風向板、４  左右風向板、５  赤外線センサ、６  駆動装置、７  温度校正部材、８  ラック、９  平歯車、１０  室内機、１１  膨張弁、１２  室内熱交換器、１３  室内送風機、２０  室外機、２１  圧縮機、２２  冷媒流路切替装置、２３  室外熱交換器、２４  室外送風機、３０  室内制御装置、３１  入力回路、３２  演算処理装置、３３  記憶装置、３４  出力回路、４０  室外制御装置、４１  入力回路、４２  演算処理装置、４３  記憶装置、４４  出力回路、５１  温度情報取得部、５２  温度補正部、５３  熱画像作成部、５４  室内検出部、５５  体感温度算出部、５６  機器制御部、５７  温度校正判断部、５８  参照値決定部、５９  補正係数決定部、６０  タイマ、１００  空気調和機。
【図１】
0006921318.tif 000002
【図２】
0006921318.tif 000003
【図３】
0006921318.tif 000004
【図４】
0006921318.tif 000005
【図５】
0006921318.tif 000006
【図６】
0006921318.tif 000007
【図７】
0006921318.tif 000008
【図８】
0006921318.tif 000009
【図９】
0006921318.tif 000010
【図１０】
0006921318.tif 000011
【図１１】
0006921318.tif 000012
【図１２】
0006921318.tif 000013
【図１３】
0006921318.tif 000014
【図１４】
0006921318.tif 000015
【図１５】
0006921318.tif 000016